(57)【特許請求の範囲】
【請求項１】
走査信号を伝達する多数のゲート線と、データ電圧を伝達し前記ゲート線と絶縁されて交差する多数のデータ線と、各々の前記ゲート線及びデータ線に連結されているスイッチング素子を有する行列形態に配列された多数の画素を含む液晶表示装置パネル;
ゲート線に走査信号を順次に供給するゲート駆動部;
データソースから階調信号を受信し、外部から入力される補正変数によって現在のフレームの階調信号と直前のフレームの階調信号とに対応する一つの補正値を、補正変数別に多数の補正値を保存している多数のルックアップテーブルから選択し、当該補正値に基づく補正階調信号を出力するデータ階調信号補正部;及び
前記データ階調信号補正部から出力される前記補正階調信号を対応するデータ電圧に変えて、前記データ線に供給するデータ駆動部を含み、
前記補正変数は温度、使用者の好みによって選択される画質、液晶表示装置の使用環境のうち少なくとも一つであり、
前記データ階調信号補正部は、
前記データソースから階調信号を受信して一つのフレームの間に前記受信された階調信号を保存して出力するフレームメモリ;
前記フレームメモリの階調信号の記録及び判読を制御するコントローラ;及び
前記補正変数によってデータソースから受信される現在のフレームの階調信号と前記フレームメモリから受信される直前のフレームの階調信号とに対応する補正値に基づく前記補正階調信号を生成するデータ階調信号変換器を含み、
前記データ階調信号変換器は、
多数の補正変数別に階調信号補正のための補正値が保存されている前記多数のルックアップテーブルを含むＬＵＴ部;
外部から入力される補正変数に基づいて前記ＬＵＴ部の多数のＬＵＴのうちの一つを選択するためのＬＵＴ ＩＤ、及び選択されたＬＵＴの補正値を変換するための係数値を設定するＬＵＴ選択部;
前記ＬＵＴ ＩＤによって前記ＬＵＴ部から該当するＬＵＴを読み出し、前記係数値が提供される場合に読み出しされたＬＵＴの補正値を係数値によって変換処理し新しく補正されたＬＵＴを生成するＬＵＴ変換部;
前記ＬＵＴ変換部より選択されたＬＵＴまたは新しく生成されたＬＵＴに基づいて、現在のフレームの階調信号と前記フレームメモリから受信される直前のフレームの階調信号に該当する補正値を読み出し、この補正値に基づいて前記補正階調信号を生成する補正信号出力部
を含む液晶表示装置。
【請求項２】
前記データソースから供給される階調信号に同期されるクロック周波数と、前記コントローラが同期されるクロック周波数が同一である、請求項１に記載の液晶表示装置。
【請求項３】
前記データソースから供給される階調信号に同期されるクロック周波数と、前記コントローラが同期されるクロック周波数が相異している、請求項１に記載の液晶表示装置。
【請求項４】
前記データソースから伝送される階調信号を受信し、前記コントローラが同期されるクロック周波数に合うように階調信号を合成し、合成された階調信号を前記フレームメモリと前記データ階調信号変換器に出力する合成器;及び
前記データ階調信号変換器から出力される階調信号を前記データソースから伝送される階調信号が同期する周波数に合うように階調信号を分離する分離器を追加的に含む、請求項１に記載の液晶表示装置。
【請求項５】
前記データ階調信号変換器は現在のフレームのデータ電圧をＶn、直前のフレームのデータ電圧をＶn-1とする時、下記の数１を満足する補正データ電圧Ｖｎ’を出力するように階調信号を補正する、請求項１に記載の液晶表示装置。
【数１】
0004707301.tif 000017
【請求項６】
前記補正変数はデータソースからディスプレイブランク期間に生成され階調信号として伝送されて入力される、請求項１に記載の液晶表示装置。
【請求項７】
走査信号を伝達する多数のゲート線と、データ電圧を伝達し前記ゲート線と絶縁されて交差する多数のデータ線、各々の前記ゲート線及びデータ線に連結されているスイッチング素子を有する行列形態に配列された多数の画素を含む液晶表示装置パネルの駆動方法において、
前記ゲート線に走査信号を順次に供給するゲート駆動段階;及び
データソースから画像信号を受信し、外部から入力される補正変数によって現在のフレームの階調信号と直前のフレームの階調信号とに対応する一つの補正値を、補正変数別に多数の補正値を保存している多数のルックアップテーブルから選択し、当該補正値に基づく補正階調信号を生成するデータ階調信号補正段階;
生成された前記補正階調信号を対応するデータ電圧に変えて前記データ線に供給するデータ駆動段階を含み、
前記補正変数は、温度、使用者の好みによって選択される画質、液晶表示装置の使用環境のうちの少なくとも一つであり、
前記データ階調信号補正段階は、
前記データソースから階調信号を受信して一つのフレームの間に前記受信された階調信号を保存してフレームメモリにより出力する段階と、
前記フレームメモリの階調信号の記録及び判読を制御する段階と、
前記補正変数によってデータソースから受信される現在のフレームの階調信号と前記フレームメモリから受信される直前のフレームの階調信号とに対応する補正値に基づく前記補正階調信号をデータ階調信号変換器により生成する段階と、を含み、
前記データ階調信号変換器は、
多数の補正変数別に階調信号補正のための補正値が保存されている前記多数のルックアップテーブルを含むＬＵＴ部;
外部から入力される補正変数に基づいて前記ＬＵＴ部の多数のＬＵＴのうちの一つを選択するためのＬＵＴ ＩＤ、及び選択されたＬＵＴの補正値を変換するための係数値を設定するＬＵＴ選択部;
前記ＬＵＴ ＩＤによって前記ＬＵＴ部から該当するＬＵＴを読み出し、前記係数値が提供される場合に読み出しされたＬＵＴの補正値を係数値によって変換処理し新しく補正されたＬＵＴを生成するＬＵＴ変換部;及び
前記ＬＵＴ変換部より選択されたＬＵＴまたは新しく生成されたＬＵＴに基づいて、現在のフレームの階調信号と前記フレームメモリから受信される直前のフレームの階調信号に該当する補正値を読み出し、この補正値に基づいて前記補正階調信号を生成する補正信号出力部、を有している、
液晶表示装置の駆動方法。
【請求項８】
前記画像信号はデジタル画像信号である、請求項７に記載の液晶表示装置の駆動方法。
【請求項９】
前記補正階調信号を生成する段階では、前記補正変数に対応するルックアップテーブルがない場合、既に生成されたルックアップテーブルの補正値を変換して補正変数による新たなルックアップテーブルをデータブランク期間に生成し、生成されたルックアップテーブルに基づいて補正階調信号を生成する、請求項７に記載の液晶表示装置の駆動方法。
【発明の詳細な説明】
本発明は液晶表示装置（以下、‘LCD’とする）に関し、さらに詳しくは、液晶表示装置の応答速度を向上させるための方法に関する。
【０００１】
【従来の技術】
近来パソコンやテレビなどの軽量化及び薄型化によりディスプレイ装置も軽量化及び薄型化が要求されており、このような要求によって陰極線管（CRT）の代わりに液晶表示装置（LCD）のようなフラットパネル形ディスプレイが開発されている。
ＬＣＤは二つの基板の間に注入されている異方性誘電率を有する液晶物質に電界を印加し、この電界の強さを調節して基板を透過する光の量を調節することによって所望の画像信号を得る表示装置である。このようなＬＣＤは携帯が簡便なフラットパネル形ディスプレイの中で代表的なものであって、この中でも薄膜トランジスタ（TFT）をスイッチング素子として利用したＴＦＴ ＬＣＤが主に利用されている。
【０００２】
最近は、ＴＦＴ ＬＣＤがコンピュータのディスプレイ装置だけでなく、テレビのディスプレイ装置として広く用いられることによって動画像を再現する必要が増加した。しかし、従来のＴＦＴ ＬＣＤは応答速度が遅いため動画像を再現するのが難しいという短所があった。このような応答速度問題を改善するために、従来はＯＣＢモード（Optically Compensated Bend）を使用したり、強誘電性液晶（FLC:Ferroelectric liquid crystal）物質を用いたＴＦＴ ＬＣＤを使用した。
【０００３】
しかし、このようなＯＣＢモードやＦＬＣを使用するためには、従来のＴＦＴＬＣＤパネルの構造を変えなければならない問題点があった。このような問題点を解決するために、ＴＦＴ ＬＣＤのパネル構造を変えることなく、液晶の駆動方法を変更することによって液晶の応答速度を改善させる技術が特許文献１の“液晶表示装置及びその駆動方法”に開示されている。
前記韓国出願の技術は、現在のフレームのデータ電圧と直前のフレームのデータ電圧を全て考慮して補正データ電圧を生成した後、生成された補正データ電圧をデータ線に印加して画素電圧が直ちに目標レベルに到達できるようにすることによって、液晶の応答特性が向上するようにする。ここで、補正値は液晶の動的キャパシタンスと応答速度によって決められる。
【０００４】
しかし、この変数は温度によって変化する。例えば、温度が高くなれば液晶のキャパシタンスが小さくなって応答速度は速くなる。反対に、温度が低くなれば液晶のキャパシタンスは大きくなって応答速度が遅くなる。
このように温度によって補正値を設定するための変数が変化することにもかかわらず、従来技術では特定温度での変数に基づいて設定された補正値によりデータ電圧を補正している。そのため、特定温度より高い温度では過補正が発生し、特定温度より低い温度では低補正が発生して、正確なデータ電圧補正が行われないという問題点がある。
【０００５】
一方、文字や停止画像の表示は、ＰＣグラフィックス環境ではなく動画像を表示する環境では、データ電圧の過補正がそれほど目立たず、むしろ過補正を行うほど動画像画質が良くなる。
図１に、従来技術によって液晶表示装置で動画像を補正する場合の例が示されている。
動く四角形の動画像を温度に関係なく従来技術によって補正して低補正が発生した場合には図１の（ａ）に示されているように、応答時間が１フレームより遅くなって残像が発生し、過補正が行われる場合には図１の（ｂ）に示されているように、ムービングエッジが誇張される問題が発生することがある。
【０００６】
しかし、視聴者によっては、低補正によってＬＣＤの応答速度が遅い時に生じるスムーズな画面を好むこともある。また、反対に縁部が鮮明に見える過補正された画面の方を好むこともある。
しかし、従来技術は多様な変数、つまり、温度や使用者の好み、そして使用環境などに関係なく固定された補正値だけに基づいてデータ電圧を補償しているので、適応的な補正が行われないという問題点がある。
【０００７】
【特許文献１】
大韓民国特許出願番号第２０００-５４４２号
【０００８】
【発明が解決しようとする課題】
したがって、本発明が目的とする技術的課題は前記のような問題点を解決するためのものであって、多様な変数によって適応的に液晶表示装置の応答速度を改善しようとすることにある。
特に、本発明が目的とする技術的課題は、液晶表示装置で現在のフレームのデータ電圧と直前のフレームのデータ電圧とを同時に考慮してデータ電圧を補正する場合に、温度、使用者の好み、使用環境などによって補正値を適応的に設定し最適のデータ電圧補正が行われるようにすることにある。
【０００９】
【課題を解決するための手段】
このような技術的課題を達成するための本発明の液晶表示装置は、走査信号を伝達する多数のゲート線と、各々の前記ゲート線及びデータ線によって囲まれた領域に形成され、各々が前記ゲート線及びデータ線に連結されているスイッチング素子を有し行列形態に配列された多数の画素を含む液晶表示装置パネル;各ゲート線に走査信号を順次に供給するゲート駆動部;データソースから階調信号を受信し、外部から入力される補正変数によって現在のフレームの階調信号と直前のフレームの階調信号とに対応する一つの補正値を、補正変数別に多数の補正値を保存している多数のルックアップテーブルから選択し、当該補正値に基づく補正階調信号を出力するデータ階調信号補正部;及び前記データ階調信号補正部から出力される前記補正階調信号を対応するデータ電圧に変えて前記データ線に供給するデータ駆動部を含み、前記補正変数は温度、使用者の好みによって選択される画質、液晶表示装置の使用環境のうち少なくとも一つ含むものであり、前記データ階調信号補正部は、前記データソースから階調信号を受信して一つのフレームの間に前記受信された階調信号を保存して出力するフレームメモリ;前記フレームメモリの階調信号の記録及び判読を制御するコントローラ;及び前記補正変数によってデータソースから受信される現在のフレームの階調信号と前記フレームメモリから受信される直前のフレームの階調信号とに対応する補正値に基づく前記補正階調信号を生成するデータ階調信号変換器を含み、前記データ階調信号変換器は、多数の補正変数別に階調信号補正のための補正値が保存されている前記多数のルックアップテーブルを含むＬＵＴ部;外部から入力される補正変数に基づいて前記ＬＵＴ部の多数のＬＵＴのうちの一つを選択するためのＬＵＴＩＤ、及び選択されたＬＵＴの補正値を変換するための係数値を設定するＬＵＴ選択部;前記ＬＵＴ ＩＤによって前記ＬＵＴ部から該当するＬＵＴを読み出し、前記係数値が提供される場合に読み出しされたＬＵＴの補正値を係数値によって変換処理し新しく補正されたＬＵＴを生成するＬＵＴ変換部;前記ＬＵＴ変換部より選択されたＬＵＴまたは新しく生成されたＬＵＴに基づいて、現在のフレームの階調信号と前記フレームメモリから受信される直前のフレームの階調信号に該当する補正値を読み出し、この補正値に基づいて前記補正階調信号を生成する補正信号出力部を含む。
【００１５】
これにより、液晶表示装置は、前記データソースから伝送される階調信号を受信し、前記コントローラが同期されるクロック周波数に合うように階調信号を合成し合成された階調信号を前記フレームメモリと前記データ階調信号変換器に出力する合成器;及び前記データ階調信号変換器から出力される階調信号を前記階調信号ソースから伝送される階調信号が同期する周波数に合うように階調信号を分離する分離器を追加的に含むことができる。
一方、前記補正変数は表示のブランク期間に生成されて階調信号の形式で入力されることができる。
【００１６】
また、本発明の液晶表示装置の駆動方法は、走査信号を伝達する多数のゲート線と、データ電圧を伝達し前記ゲート線と絶縁されて交差する多数のデータ線、各々の前記ゲート線及びデータ線に連結されているスイッチング素子を有する行列形態に配列された多数の画素を含む液晶表示装置パネルの駆動方法において、
前記ゲート線に走査信号を順次に供給するゲート駆動段階;
データソースから画像信号を受信し、外部から入力される補正変数によって現在のフレームの階調信号と直前のフレームの階調信号とに対応する一つの補正値を、補正変数別に多数の補正値を保存している多数のルックアップテーブルから選択し、当該補正値に基づく補正階調信号を生成するデータ階調信号補正段階;及び
生成された前記補正階調信号を対応するデータ電圧に変えて前記データ線に供給するデータ駆動段階を含み、
前記補正変数は、温度、使用者の好みによって選択される画質、液晶表示装置の使用環境のうちの少なくとも一つであり、
前記データ階調信号補正段階は、
前記データソースから階調信号を受信して一つのフレームの間に前記受信された階調信号を保存してフレームメモリにより出力する段階と、
前記フレームメモリの階調信号の記録及び判読を制御する段階と、
前記補正変数によってデータソースから受信される現在のフレームの階調信号と前記フレームメモリから受信される直前のフレームの階調信号とに対応する補正値に基づく前記補正階調信号をデータ階調信号変換器により生成する段階と、を含み、
前記データ階調信号変換器は、
多数の補正変数別に階調信号補正のための補正値が保存されている前記多数のルックアップテーブルを含むＬＵＴ部;
外部から入力される補正変数に基づいて前記ＬＵＴ部の多数のＬＵＴのうちの一つを選択するためのＬＵＴ ＩＤ、及び選択されたＬＵＴの補正値を変換するための係数値を設定するＬＵＴ選択部;
前記ＬＵＴ ＩＤによって前記ＬＵＴ部から該当するＬＵＴを読み出し、前記係数値が提供される場合に読み出しされたＬＵＴの補正値を係数値によって変換処理し新しく補正されたＬＵＴを生成するＬＵＴ変換部;及び
前記ＬＵＴ変換部より選択されたＬＵＴまたは新しく生成されたＬＵＴに基づいて、現在のフレームの階調信号と前記フレームメモリから受信される直前のフレームの階調信号に該当する補正値を読み出し、この補正値に基づいて前記補正階調信号を生成する補正信号出力部、を有している。
【００１７】
前記補正画像信号生成段階は、補正変数別に直前のフレームの画像信号と現在のフレームの画像信号に対応する補正値が記録されているルックアップテーブルに基づいて補正画像信号を生成し、前記補正変数に対応するルックアップテーブルがない場合には既に生成されたルックアップテーブルに記載されている補正値を変換して補正変数による新たなルックアップテーブルを生成し、生成されたルックアップテーブルに基づいて補正画像信号を生成する。このようなルックアップテーブルの補正はデータブランク期間に行われるのが好ましい。
【００１８】
【発明の実施の形態】
以下、図面を参照して本発明の実施例について詳細に説明する。
一般にＬＣＤは走査信号を伝達する多数のゲート線とこのゲート線に交差して形成されデータ電圧を伝達するデータ線を含む。また、ＬＣＤはこれらゲート線とデータ線によって囲まれた領域に形成され、各々ゲート線及びデータ線にスイッチング素子を通じて連結される行列形態の多数の画素を含む。
ＬＣＤの各画素は液晶を誘電体として有するキャパシタ、つまり、液晶キャパシタとしてモデル化でき、図２にこのようなＬＣＤに用いる画素の等価回路が示されている。
【００１９】
図２に示したように、各画素の等価回路はデータ線（Dm）とゲート線（Sn）に各々ソース電極とゲート電極が連結されるＴＦＴ１０と、ＴＦＴのドレーン電極と共通電圧（Vcom）の間に連結される液晶キャパシタ（C1）と、ＴＦＴのドレーン電極に連結されるストレージキャパシタ（Cst）を含む。
図２で、ゲート線（Sn）にゲートオン信号が印加されてＴＦＴ１０がターンオンされれば、データ線（Dm）に供給されたデータ電圧（Vd）がＴＦＴ１０を通じて各画素電極（図示せず）に印加される。その後、画素電極に印加された画素電圧（Vp）と共通電圧（Vcom）の差に該当する電界が液晶（図２では等価的に液晶キャパシタで示した）に印加されてこの電界の強さに対応する透過率によって光が透過する。この時、画素電圧（Vp）は次の信号が印加されるまで１フレームの間は維持されなければならず、このためにストレージキャパシタ（Cst）が画素電極に印加された画素電圧（Vp）を維持するために補助的に用いられる。
【００２０】
一方、液晶は異方性誘電率を有するために、液晶の方向によって誘電率が異なる特性がある。つまり、電圧が印加されることによって液晶分子の向きが変われば誘電率も共に変わり、これにより液晶キャパシタのキャパシタンス（以下、これを‘液晶キャパシタンス'とする）値も変わる。一応、ＴＦＴがオンになる区間の間に液晶キャパシタに電荷を供給した後、ＴＦＴがオフの状態になるが、Ｑ=ＣＶであるので液晶キャパシタンスが変われば液晶にかかる画素電圧（Vp）もやはり変わる。
【００２１】
ノーマリーホワイトモードＴＮ−ＬＣＤを、例えば、画素に供給される画素電圧が０Ｖである場合には液晶分子が基板に平行な方向に配列されているので液晶キャパシタンスはＣ（0Ｖ）＝εvＡ／ｄになる。ここで、εvは液晶分子が基板に平行な方向に配列された場合、つまり、液晶分子が光の方向と垂直方向に配列された場合の誘電率を示し、Ａとｄは各々ＬＣＤ基板の面積と基板との間の距離を示す。一方、フルブラック（full black）を再現するための電圧が５Ｖであるとすれば、液晶に５Ｖが印加される場合液晶分子が基板に垂直方向に配列されるので、液晶キャパシタンスはＣ（５Ｖ）＝εpＡ／ｄになる。ＴＮモードに用いられる液晶の場合には、εp−εv＞０であるので、液晶に印加される画素電圧が高くなるほど液晶キャパシタンスがさらに大きくなる。
【００２２】
ｎ番目フレームでフルブラックを作るためにＴＦＴが充電しなければならない電荷量はＣ（５Ｖ）×５Ｖである。しかし、直前のフレームであるｎ−１番目フレームでフルホワイト（Ｖn-1=０Ｖ）であると仮定すれば、ＴＦＴのターンオン期間は液晶が応答する前であるので、液晶キャパシタンスはＣ（０Ｖ）になる。したがって、フルブラックを作るためにｎ番目フレームで５Ｖのデータ電圧（Vd）を印加しても、実際画素に充電される電荷量はＣ（０Ｖ）×５ＶでありＣ（０Ｖ）＜Ｃ（５Ｖ）になることによって、液晶に実際供給される画素電圧（Vp）は５Ｖに至らなくなり（例えば３．５Ｖ）フルブラックが再現されない。また、その次のフレームであるｎ＋１番目フレームでフルブラックを再現するためにデータ電圧（Vd）を５Ｖにして印加した場合には、液晶に充電される電荷量はＣ（３．５Ｖ）×５Vになり、結局液晶に供給される電圧（Vp）は３．５Ｖと５Ｖとの間となる。このような過程を繰り返せば結局いくつかのフレーム後に画素電圧（Vp）が所望の電圧に到達する。
【００２３】
これを階調の観点で説明すれば、任意の画素に印加される信号（画素電圧）が低い階調から高い階調に（または高い階調から低い階調に）変わる場合、現在のフレームの階調は直前のフレームの階調の影響を受けるために、直ちに所望の階調に到達できず、いくつかのフレームが経過された後にようやく所望の階調に到達する。同様に、現在のフレームの画素の透過率は直前のフレームの画素の透過率の影響を受けて、いくつかのフレームが経過した後に所望の透過率を得ることができる。
【００２４】
一方、ｎ−１番目フレームがフルブラックであり、つまり、画素電圧（Vp）が５Ｖであり、ｎ番目フレームでフルブラックを具現するために５Ｖのデータ電圧が印加されたとすると、液晶キャパシタンスはＣ（５Ｖ）であるので、画素にはＣ（５Ｖ）×５Ｖに該当する電荷量が充電され、これにより液晶の画素電圧（Vp）は５Ｖとなる。
このように、液晶に実際供給される画素電圧（Vp）は現在のフレームに供給されるデータ電圧だけでなく、直前のフレームの画素電圧（Vp）によっても決められる。
【００２５】
したがって、本発明の実施例では現在のフレームの画像信号（Ｇn）を直前のフレームの画像信号（Ｇn-1）と比較し、次のような補正された画像信号（Ｇn'）を生成した後、補正された画像信号（Ｇn'）を各画素に印加する。ここで、画像信号（Ｇn）はアナログ駆動方式である場合にはデータ電圧を意味するが、デジタル駆動方式の場合には、データ電圧を制御するために二進化された階調信号を意味する。したがって、デジタル駆動方式で実際画素に印加される電圧の補正は階調信号の補正によって行われる。
【００２６】
本実施例では第一の場合、つまり、現在のフレームの画像信号（階調信号またはデータ電圧）が直前のフレームの画像信号と同一であれば補正を行わない。
第二の場合、現在のフレームの画像信号が直前のフレームの画像信号より高い場合には現在の画像信号よりさらに高く補正された画像信号を出力し、現在のフレームの画像信号が直前のフレームの画像信号より低い場合には、現在の画像信号よりさらに低く補正された画像信号を出力する。
この時、補正が行われる程度は現在の画像信号と直前のフレームの画像信号との差に比例し、また、温度、使用者の好み、使用環境などの補正変数によって異なって設定される。
【００２７】
以下、本発明の実施例による画像信号、つまり、データ電圧補正方法を計量的に説明する。
図３は、液晶表示装置の電圧−誘電率間の関係を簡単にモデル化した図面である。
図３で、横軸は画素電圧であり、縦軸は特定画素電圧ｖでの誘電率（ε(v)）と液晶が基板に平行した方向に配列された場合、つまり、液晶が光の透過方向と垂直な場合の誘電率（εv）の比を示す。
【００２８】
図３で、εp／εvの最大値、つまり、εp／εvを３であると仮定し、ＶｔｈとＶｍａｘを各々１Ｖ、４Ｖと仮定した。ここで、ＶｔｈとＶｍａｘとは各々フルホワイト及びフルブラック（またはその反対）に該当する画素電圧を示す。
ストレージキャパシタのキャパシタンス（以下、これを‘ストレージキャパシタンス’という）が液晶キャパシタンスの平均値〈Ｃ１〉と同一であるとし、ＬＣＤ基板の広さ及び基板の間の距離を各々Ａとｄとすれば、ストレージキャパシタンスＣｓｔは次の数７で示すことができる。
【００２９】
【数７】
0004707301.tif 000002
ここで、Ｃ０＝εvA／ｄである。
図３から、（ε(v)）／εvは次の数８で示すことができる。
【００３０】
【数８】
0004707301.tif 000003
ＬＣＤの総キャパシタンスＣ（Ｖ）は液晶キャパシタンスとストレージキャパシタンスとの合計であるので、ＬＣＤのキャパシタンスはＣ（Ｖ）は数７及び８から次の数９で示すことができる。
【００３１】
【数９】
0004707301.tif 000004
画素に印加される電荷量Ｑは保存されるので、次の数１０が成立する。
【００３２】
【数１０】
0004707301.tif 000005
数９及び数１０から次の数１１が誘導できる。
【００３３】
【数１１】
0004707301.tif 000006
ここで、Ｖnは現在のフレームに印加されるデータ電圧（反転駆動の場合にはデータ電圧の絶対値）を示し、Ｖn-1は直前のフレームの画素電圧を示し、Ｃ（Ｖn-1）は直前のフレーム（ｎ−１フレーム）の画素電圧に対応するキャパシタンスを示し、Ｃ（Ｖf）は現在のフレーム（ｎフレーム）の実際の画素電圧（Ｖf）に対応するキャパシタンスを示す。
【００３４】
このような数１１に基づいて、実際の画素電圧Ｖfは次の数１２で示すことができる。
【００３５】
【数１２】
0004707301.tif 000007
前記数１２から明確に分かるように、実際の画素電圧Ｖfは現在のフレームに印加されたデータ電圧（Ｖn）と直前のフレームの画素電圧（Ｖn-1）によって決定される。
一方、ｎフレームで画素電圧が目標電圧（Ｖn）に到達するようにするために印加されるデータ電圧をＶn'とすれば、Ｖn'は数１１から次の数１３で示すことができる。
【００３６】
【数１３】
0004707301.tif 000008
したがって、Ｖn'は次の数１４で示すことができる。
【００３７】
【数１４】
0004707301.tif 000009
このように、現在のフレームの目標画素電圧（Ｖn）と直前のフレームの画素電圧（Ｖn-1）を考慮して前記数１４により求められるデータ電圧（Ｖn'）を印加すれば、目標とする画素電圧Ｖnに直ちに到達することができる。
前記の数１４は図３に示した図面及びいくつかの基本仮定から誘導された式であり、一般的なＬＣＤで適用されるデータ電圧Ｖｎ'は次の数１５で示すことができる。
【００３８】
【数１５】
0004707301.tif 000010
ここで、関数fはＬＣＤの特性によって決められる。関数fは基本的に次の性質を有する。
つまり、｜Ｖn｜と｜Ｖn-1｜が同一である場合にｆ=０になり、｜Ｖn｜が｜Ｖn-1｜より大きい場合ｆは０より大きく、｜Ｖn｜が｜Ｖn-1｜より小さい場合ｆは０より小さい。
【００３９】
図４に、このような本発明の実施例によるデータ電圧印加方法が示されており、図５に図４のデータ電圧印加による液晶表示装置の透過率が示されている。
本発明の実施例では図４に示したように、現在のフレームの目標画素電圧と直前のフレームの画素電圧（データ電圧）を考慮して補正されたデータ電圧Ｖn'を印加し、画素電圧（Vp）が直ちに目標電圧に到達するようにする。つまり、現在のフレームの目標電圧と直前のフレームの画素電圧が異なる場合、現在のフレームの目標電圧よりさらに高い電圧（またはさらに低い電圧）を補正されたデータ電圧として印加し第１フレームで画素電圧が直ちに目標電圧レベルに到達するようにした後、その次のフレームでは目標電圧をデータ電圧に印加する。このようにすることによって、液晶の応答速度を改善することができる。
【００４０】
この時、補正されたデータ電圧（電荷量）は直前のフレームの画素電圧によって決定される液晶キャパシタンスを考慮して決める。つまり、本発明の実施例では直前のフレームの画素電圧レベルを考慮して電荷量（Q）を供給することによって第１フレームで直ちに目標電圧レベルに到達するようにする。これにより、図５に示したように、現在のフレームで直ちに目標透過率に到達する。
これとは異なって、目標電圧より多少高く補正された電圧Ｖn'を画素電圧に印加することもできる。図５に、この場合による液晶表示装置の透過率が示されている。目標電圧より多少高く補正された電圧Ｖn'を画素電圧に印加する場合には、図５に示したように液晶の応答時間の約１/２以前では透過率が目標値より小さくなるが、その後には目標値より過度になって（overcompensate）平均的な透過率が目標透過率と同様になる。
【００４１】
一方、本発明の実施例では上述したように、現在のフレームの目標画素電圧と直前のフレームの画素電圧（データ電圧）を考慮して補正されたデータ電圧（Ｖn'）を印加し、補正されたデータ電圧（Ｖn'）は補正変数、特に、温度によって適応的に可変される。
データ電圧の補正のために、温度別に数１５を満足する補正データ電圧（Ｖn'）を生成するデジタル回路を直接製造して用いることができる。また、温度別に補正値が設定されているルックアップテーブル（Look-up table、以下、“ＬＵＴ”と命名する）を製造時に作成してＲＯＭ（read only memorｙ）として保存しておき、ＬＵＴをアクセスして読み出される補正値に基づいてデータ電圧（画像信号）を補正することもできる。実際に補正データ電圧Ｖn'は単純に直前のフレームのデータ電圧（Ｖn-1）と現在のフレームのデータ電圧（Ｖn）の差にだけ比例することでなく、各々の絶対値にも依存する複雑な関数であるので、このようにルックアップテーブルを構成すれば演算処理に依存することより回路が非常に簡単になるという長所がある。
【００４２】
したがって、本発明では温度別に上述された数１５を満足するデータ電圧Ｖn'を生成するための補正値を有する多数のＬＵＴを構成し、多数のＬＵＴの中で液晶表示装置の現在温度によって一つのＬＵＴを選択した後、選択されたＬＵＴの補正値に基づいてデータ電圧補正、つまり、階調信号補正を行う。
しかし、発生可能な全ての温度別にＬＵＴを作成することも容易でなく、全ての温度別ＬＵＴをＲＯＭなどの保存手段に保存することもやはり容易でない。
したがって、本発明の実施例ではＬＵＴを利用した階調信号補正の効率化のために多数の設定温度別にＬＵＴを生成した後、測定された温度が設定温度に該当しない場合には、次に記述される補正値変換方法によってＬＵＴの補正値を変換させ現在測定された温度による新たなＬＵＴ、つまり、補正値を生成する。
【００４３】
以下、ＬＵＴ変換方法について説明する。
測定された温度が多数の設定温度、つまり、ＬＵＴが予め生成されている温度に該当しない場合、例えば設定温度が２５℃、４０℃、０℃であり、この設定温度にだけ対応してＬＵＴが生成されており、現在測定された温度が２０℃である場合、次の通り既に生成されている一つのＬＵＴを選択してＬＵＴ変換を行う。
ＬＵＴを構成するｉ番目行とｊ番目列に位置したセルの各補正値をＧijとする。例えば、８ビット階調で８ビット全体を保存せずにｙビットのＭＳＢ（most sigｎificant bit）だけを保存したとすると、Ｇijは次の数１６のように示すことができる。
【００４４】
【数１６】
0004707301.tif 000011
ここで、Ｇn=（i-１)×２8-y、Ｇn-1=(j-１)×２8-yである。
例えば、８ビット階調で４ビットのＭＳＢだけを保存して補正値を表現したＬＵＴを構成するとすれば、Ｇ23=Ｇn'（Ｇｎ=１×１６=１６、Ｇn-1=２×１６=３２）で、Ｇ23は現在のフレームの階調が１６であり、直前のフレームの階調が３２である時の補正値を示す。
【００４５】
このように、ＬＵＴを構成する各々の補正値（Ｇij）は現在のフレームの階調と直前のフレームの階調にマッチングされ、補正値が階調信号の総ビット数（８ビット）のうちのいくつのビットで示されたのかによってマッチングされる値が変わる。
図６に、本発明の実施例によるＬＵＴの例が示されている。図６に示されたＬＵＴは８ビットの階調信号で４ビットのＭＳＢだけを保存した場合である。
ここで、ＬＵＴのＧijが前記数１６のように表現されると仮定する。まず、現在測定された温度が設定温度に該当しなければ、測定温度と差が最も小さい設定温度に該当するＬＵＴの各補正値Ｇijを次の通りに変換する。ここで、補正値Ｇijの変換値をＧij’とする。
【００４６】
【数１７】
0004707301.tif 000012
ここで、Ｇii=（i-１)×２8-yである。そして、各項に付与されているα、β、γなどは測定温度と設定温度との差を補償するための補正係数であって、測定温度が設定温度より低い場合にはαなどの補正係数の値を１より大きくして補償が大きく行われるようにし、測定温度が設定温度より高い場合にはαなどの補償係数値を１より小さくして補償が小さく行われるようにする。
【００４７】
例えば、前記数１７で１次項だけを使用することを見れば（β=γ=…=０、測定温度が設定温度より低くて補償が多く必要である時はα>１に補正し、測定温度が設定温度より高くて補償を減らす必要がある時にはα<１に補正する。
測定温度以外にも、使用者が過補正された画像を好んだり低補正された画像を好むなどの好みによって、補正係数であるαやβなどの値を可変させることができ、また、現在表示される画像がほとんど静的なグラフィックス画像であるか動画像であるかの可否によって補正係数を可変させることもできる。
【００４８】
一方、ＬＵＴにＭＳＢ ｙビットに対する補正値だけでなく、ＬＳＢ（least significant bit）値に対する補正のための演算用係数が保存されている場合には、これら係数も共に変換させなければならない。
つまり、階調信号の総ビットがｘビットであるとすれば、この中のＭＳＢ ｙビットはＬＵＴを利用して補正し、他のＬＳＢ ｚ（つまり、ｘ−ｙ）ビットは演算によって補正する。
直前のフレームの階調信号とｘビットの現在のフレームの階調信号のうちｙビットのＭＳＢによってＬＵＴから提供される変数（ｆ、ａ、ｂ）と、直前のフレームの階調信号、そしてｘビットの現在のフレームの階調信号のうちｚビットのＬＳＢに基づいて演算を行い、補正された階調データを生成する。ここで、ｆ=（Ｇn、Ｇn-1）であって、直前のフレームの階調信号と現在のフレームの階調信号に対応される補正値であり、ａ、ｂは整数であって、現在セルの補正値と隣接した他のセルの補正値との差を示す。
【００４９】
ＬＳＢを考慮して補正された階調データは次の数１８を満足する。
【００５０】
【数１８】
0004707301.tif 000013
ここで、ｚはｘ−ｙ、[Ｇn]ｚはＧnのＬＳＢ ｚビットを全て０にした値であり、[Ｇn-1]ｚはＧn-1のＬＳＢ ｚビットを全て０にした値であり、ｙ[Ｇn]はＧｎのＭＳＢｙビットを全て０にした値であり、ａとｂとは全て正整数を示す。
特に、[Ｇn]ｚ=[Ｇn-1]ｚである場合にはａ−ｂ=１６でなければＧn'=Ｇn-1の条件が満足できず、また、ａ'−ｂ=０でなければＧn'=Ｇn-1の条件を満足することができない。ここで、ａ'は、Ｇn'の演算用係数である。
【００５１】
このように、ＬＳＢ値に対する補正のための演算用係数（ａ、ｂ）が要求される場合には、次のように設定温度によるＬＵＴに基づいて測定温度による演算用係数を求める。
【００５２】
【数１９】
0004707301.tif 000014
【００５３】
【数２０】
0004707301.tif 000015
つまり、設定温度によるＬＵＴのｉ番目行とｊ番目列に位置したセル（cell）を読めば、Ｇij'、aij'、bij'を算出することができる。ここで、aij及びbijは、Ｇijに対する演算用係数、aij'及びbij'は、Ｇij'に対する演算用係数である。
前記に記述したように、現在の測定温度が複数の設定温度に該当しない場合には、測定温度との差が最も小さい設定温度に該当するＬＵＴに基づいてＬＵＴ変換を行って、現在の測定温度に適した補正されたＬＵＴ値を生成する。
【００５４】
一方、複数の設定温度によって第１ＬＵＴ乃至第Ｎ ＬＵＴが既に生成されており、この中で第１ＬＵＴがデフォルト値に設定されている場合には、現在の測定温度と第１ＬＵＴの設定温度とを比較して、その温度差が設定値より小さい場合には前記に記述されたように第１ＬＵＴに基づいて変換を行う。しかし、現在の測定温度と第１ＬＵＴの設定温度との差が設定値以上である場合には第１ＬＵＴを使用せず、測定温度との差が設定値より小さいＬＵＴを選択して、前記に記述されたようなＬＵＴ変換を行う。この時、設定温度のうち測定温度との差が最も小さい設定温度に該当するＬＵＴが選択されるのが好ましい。
【００５５】
次に、このような方法に基づいて駆動される本発明の実施例による液晶表示装置を説明する。
図７に、本発明の実施例による液晶表示装置の構造が示されている。図７に示された液晶表示装置はデジタル駆動方法を使用する。
本発明の実施例による液晶表示装置は、図７に示したように、液晶表示装置パネル１００、ゲートドライバー２００、データドライバー３００及びデータ階調信号補正部４００を含む。
【００５６】
液晶表示装置パネル１００にはゲートオン信号を伝達するための多数のゲート線（Ｓ１，Ｓ２，Ｓ３，．．．Ｓｎ）が形成されており、補正されたデータ電圧を伝達するためのデータ線（Ｄ１，Ｄ２，．．．Ｄｍ）が形成されている。ゲート線とデータ線によって囲まれた領域は各々画素をなし、各画素はゲート線とデータ線に各々ゲート電極及びソース電極が連結されるＴＦＴ１１０と、ＴＦＴ１１０のドレーン電極に連結される液晶キャパシタ（C1）と、ストレージキャパシタ（Cst）を含む。
【００５７】
ゲートドライバー２００はゲート線に順次にゲートオン電圧を印加し、ゲートオン電圧が印加されたゲート線にゲート電極が連結されたＴＦＴ１１０をターンオンさせる。
データ階調信号補正部４００はデータソース（例えば、グラフィック制御機）から階調信号（Ｇn）を受信した後、前記に説明したように現在のフレームの階調信号と直前のフレームの階調信号を考慮して補正された階調信号Ｇn'を出力する。この時、データ階調信号補正部４００はスタンドアローンユニットとして存在することもあり、グラフィックカードやＬＣＤモジュールに統合されることもある。
【００５８】
データドライバー３００はデータ階調信号補正部４００から受信されて補正された階調信号（Ｇn'）を該当階調電圧（データ電圧）に変えて各々データ線に印加する。
図８に、本発明の実施例によるデータ階調信号補正部４００の構造が詳細に示されている。
本発明の実施例によるデータ階調信号補正部４００は、図８に図示したように、合成器４１０、フレームメモリ４２０、コントローラ４３０、データ階調信号変換器４４０及び分離器４５０を含む。
【００５９】
合成器４１０はデータソースから伝送される階調信号（Ｇn）を受信して、データ階調信号補正部４００が処理できる速度でデータストリームの周波数を変換する。例えば、データソースから２４ビットのデータが６５ＭＨｚ周波数に同期して受信され、データ階調信号補正部４００の構成要素などの処理速度が５０ＭＨｚが限界といえば、合成器４１０は２４ビットの階調信号を２つずつ縛って４８ビットの階調信号（Ｇm）で合成しフレームメモリ４２０に伝送する。
合成された階調信号（Ｇm）は、コントローラ４３０の制御によって所定アドレスに保存されている直前の階調信号（Ｇｍ−１）をデータ階調信号変換器４４０に出力すると同時に、合成器４１０から伝送される階調信号（Ｇm）を前記所定アドレスに保存する。データ階調信号変換器４４０は合成器から出力される現在のフレームの階調信号（Ｇm）とフレームメモリ４２０から出力される直前のフレームの階調信号（Ｇｍ−１）を受信し、現在のフレームの階調信号と直前のフレームの階調信号を考慮して補正された階調信号Ｇm'を生成する。
【００６０】
分離器４５０はデータ階調信号変換器４４０から出力される４８ビットの補正されたデータ階調信号（Ｇm'）を分離して２４ビットの補正された階調信号（Ｇn'）を出力する。
本発明の実施例では階調信号に同期するクロック周波数がフレームメモリをアクセスするクロック周波数と相異しているために、階調信号を合成及び分離する合成器４１０及び分離器４５０が必要であったが、階調信号に同期するクロック周波数とフレームメモリ４２０をアクセスするクロック周波数とが同一である場合には、このような合成器と分離器は不要となる。
【００６１】
図９に、本発明の実施例による現在のフレームの階調信号と直前のフレームの階調信号を考慮して補正された階調信号を生成するデータ階調信号変換器４４０の詳細構造が示されている。
添付した図９に示されているように、本発明の実施例によるデータ階調信号変換器４４０は、ＬＵＴ保存部４４１、補正変数入力部４４４、ＬＵＴ選択部４４５、ＬＵＴ変換部４４６、ＬＵＴ演算器４４３を含む。
ＬＵＴ保存部４４１は多数の設定温度別に階調信号補正のための補正値が保存されている多数のＬＵＴ（ＬＵＴ0〜ＬＵＴn）を含む。
【００６２】
補正変数入力部４４４は補正をどれほどしなければならないかを決定するための変数の入力を受け、また、ＬＵＴを選択したり選択されたＬＵＴに基づいて補正値を変更するための変数を受信してＬＵＴ選択部４４５に提供する。具体的に液晶表示装置の現在温度を測定するセンサーから出力される温度データ、画質選択ボタンやキーボードから出力される使用者の好みによる画質選択データ、使用環境設定ボタンやキーボードから出力される使用環境データ（ほとんど静的なグラフィックス環境または動画像環境）などを受信して伝達する。
【００６３】
このようなデータはデジタル信号としてパラレルまたはシリアル（serial）に補正変数入力部４４４に入力されることができ、アナログ信号で入力された後、デジタル信号に変換されることも可能である。
ＬＵＴ選択部４４５は補正変数入力部から提供される多数の補正変数、つまり、温度データ、画質選択データ、使用環境データなどによって適切なＬＵＴを選択したりＬＵＴ変換を行うための係数値を設定する。具体的に、多数の補正変数に基づいてどのＬＵＴを選択するか、そして補正値をどれほど変化させるかに対し判断した後、補正変数によって選択されたＬＵＴ ＩＤつまり、どのＬＵＴをＬＵＴ保存部４４１から読み出すかについてのデータと、ＬＵＴ補正に必要な補正係数（α，β，．．．）値を決定する。
【００６４】
ＬＵＴ選択部４４５は補正係数の数字が小さい場合には、次の表１に示されているように、単純なルックアップテーブル形態で具現できる。補正係数の数字が大きい場合にはアルゴリズムによって係数を算出するように具現されることもできる。
【００６５】
【表１】
0004707301.tif 000016
ＬＵＴ変換部４４６はＬＵＴ選択部４４５から提供されるＬＵＴ ＩＤに基づいてＬＵＴ保存部４４１から該当ＬＵＴを読み出す。
一方、ＬＵＴ変換部４４６はＬＵＴ選択部４４５からＬＵＴ ＩＤ以外にＬＵＴの値を補正して現在の補正変数に適した補正値を得るための補正係数（α，β，．．．）が提供される場合には、ＬＵＴ保存部４４１から提供されたＬＵＴの各補正値を、提供された補正係数（α，β，．．．）に基づいて前記に記述された変換方法によって変換させ、現在温度に適したＬＵＴ補正値を求める。そして、このように補正されたＬＵＴを現在のフレームの階調信号と直前のフレームの階調信号を考慮して補正された階調信号Ｇn'を出力するための補正ＬＵＴ４４２として用いる。
【００６６】
補正ＬＵＴ４４２は合成器４１０から提供される現在のフレームの階調データと、直前のフレームの階調信号に対応されている補正値を演算器４４３に提供する。演算器４４３は補正値に基づいて所定の演算を行って、補正された階調信号Ｇm'を生成して分離器４５０に出力する。
一方、ＬＵＴにＭＳＢ Ｌビットに対する補正値だけでなく、ＬＳＢ値に対する補正も共に行われる場合、演算器４４３は合成器４１０から現在のフレームの階調信号の４ビットＬＳＢとフレームメモリ４２０から直前のフレームの階調信号の４ビットＬＳＢの提供を受け、補正ＬＵＴ４４１から動画像補正のための変数、f、ａ、ｂの提供を各々受けて所定の演算を通じて補正された階調信号Ｇm'を生成して分離器４５０に出力する。
【００６７】
分離器４５０に提供された４８ビットの補正された階調データはデータ分割されて２４ビットの補正された階調信号（Ｇn'）としてデータドライバー部３００に出力する。このようなＬＵＴ変換はデータブランク期間に行われるのが好ましい。データブランク期間であると、データドライバー部３００への階調信号供給に影響を及ぼさず、ＬＵＴ変換を容易に行うことができる。ここで、データブランク期間とは、データ駆動部に階調信号が供給されない期間である。
一方、前記に記述された実施例で補正変数のうち温度によってＬＵＴを設定し、各温度別ＬＵＴの補正値を一つ以上において、使用者の好みや使用環境によって互いに異なる値を選択するようにすることができ、この時、一つ以上の補正値もやはり前記に記述したように変換できる。
【００６８】
また、前記に記述された実施例で多数のＬＵＴやＬＵＴ選択部は製品によって変わることがあり、多様な形態で具現されて補正値及び係数を提供する。
例えば、データ階調変換器の内部にＲＯＭなどの常設記憶装置形態で具現されて補正値や係数を提供することができる。このような場合には、外部とのインターフェースが要求されず、ＳＲＡＭで具現する時より占有面積が小さい。そして、不良の可能性が少ないという長所があるが、製品の液晶パラメータが多く変更される場合には対応が不可能であって、新しくデータ階調変換器を設計しなければならない。
【００６９】
また、多数のＬＵＴやＬＵＴ選択部４４５は外部ＲＯＭ形態で具現できる。この場合には、データ階調変換器が必要な時毎に外部のＲＯＭからデータを読み込む。一般に、初期の電源印加（POWER-UP）時にデータを読むことが好ましい。但し、ＬＵＴを全て保存するのにチップで具現されたデータ階調変換器の空間が不足する場合には、初期化時にデフォルトで指定されたＬＵＴだけを読み込み、その後、必要に応じて一つのＬＵＴずつ読み込むこともできる。この場合には多様なモデルに容易に対応できる反面、外部ＲＯＭとのインターフェース装置が要求され、構成成分が増加することによって不良が発生する可能性が増加する。
【００７０】
また、多数のＬＵＴやＬＵＴ選択部を構成する補正値をグラフィックス信号を通じて受信することもできる。この場合には、グラフィックス信号送信のための別途のプロトコルが要求され、入力される信号がディスプレイするデータでなく、ＬＵＴ及びそれによる補正係数ということを知らせるためのデータ、入力される信号の中でどの部分が補正係数に該当し、また、どの部分がＬＵＴ用データであるということを知らせるためのデータが要求され、このようなデータが入力される順がどのようになるかに関する約束が決められていなければならない。
【００７１】
このようにグラフィックス信号送信を通じてＬＵＴ及び補正係数が入力される方法は次の通りに具現できる。
例えば、ＬＣＤモジュールを含む液晶表示装置でこのようなデータはディスプレイブランク区間に、決められたフォーマットで伝送できる。また、コンピュータ環境下では使用者が特定のソフトウェアを可動した後、ＬＵＴ設定ボタンなどを押して前記データが伝送されるようにすることができる。この時、用いられるソフトウェアはビットマップ表示器であって、ここにはＬＵＴやＬＵＴ選択部に入る情報が特定規則通りに保存される。このビットマップの情報は階調信号が伝送される経路にしたがってＬＣＤモジュールに伝達され、ビットマップを修正して容易にＬＵＴ値を変えることができる。ディスプレイブランク期間に補正変数が入力されると、ディスプレイしようとする実際の画像データとの区別が容易になる。また、既存の画像信号生成源が画像データを提供することに影響を及ぼさずに、補正変数の生成及び供給を行うことができる。ここで、ディスプレイブランク期間とは、画像信号生成源から画像データが伝送されない期間である。
【００７２】
このようにビットマップ形態にＬＵＴ及び補正係数などの補正データの提供を受けるように具現する場合には、多様なモデルによって容易に補正データを変更することができ、使用者がソフトウェアを通じて容易に補正データを変更することができる。また、外部構成要素とのインターフェースが要求されず、これにより不良が発生する可能性が少ない。
以上、本発明の実施例について説明したが、、本発明は前記実施例にだけ限定されるわけではなく、上記請求範囲に基づいて多様な変更や変形が可能である。
【００７３】
【発明の効果】
本発明は、データ電圧を補正し、補正されたデータ電圧を画素に印加することによって画素電圧が直ちに目標電圧レベルに到達することができるようにする。したがって、ＴＦＴ ＬＣＤのパネル構造を変える必要なく液晶の応答速度を改善させることができる。
【図面の簡単な説明】
【図１】従来液晶表示装置の動画像補正例を示した図面である。
【図２】液晶表示装置で各画素の等価回路を示す図面である。
【図３】液晶表示装置の電圧-誘電率間の関係をモデル化した図面である。
【図４】本発明の実施例によるデータ電圧印加方法を示す図面である。
【図５】本発明の実施例によってデータ電圧を印加した場合の液晶表示装置の透過率を示す図面である。
【図６】本発明の実施例による変換表を示す図面である。
【図７】本発明の実施例による液晶表示装置の構造を示す図面である。
【図８】本発明の実施例によるデータ階調信号補正部の構造を示す図面である。
【図９】本発明の実施例によるデータ階調信号変換器の構造を示す図面である。
【符合の説明】
１０          ＴＦＴ
１００        液晶表示装置パネル
１１０        ＴＦＴ
２００        ゲートドライバー
３００        データドライバー
４００        データ階調信号補正部
４１０        合成器
４２０        フレームメモリ
４３０        コントローラ
４４０        データ階調信号変換器
４４１        ＬＵＴ保存部
４４３        ＬＵＴ演算器
４４２        補正ＬＵＴ
４４４        補正変数入力部
４４５        ＬＵＴ選択部
４４６        ＬＵＴ変換部
４５０        分離器
【図１】
0004707301.tif 000018
【図２】
0004707301.tif 000019
【図３】
0004707301.tif 000020
【図４】
0004707301.tif 000021
【図５】
0004707301.tif 000022
【図６】
0004707301.tif 000023
【図７】
0004707301.tif 000024
【図８】
0004707301.tif 000025
【図９】
0004707301.tif 000026